Podtech/llm-jp-corpus-v4-ja_patent huggingface dataset:
(57)【要約】      （修正有）【課題】赤ちゃんの夜泣きを抱っこしながら、やっとの思いで寝かしつけても、ベットに移し腕を抜くさいに、赤ちゃんが目を覚まし泣き出してしまう。腕を抜くさいに赤ちゃんに気づかれなかったとしても、赤ちゃんの首下に枕を差し込むさいに赤ちゃんが泣き出してしまう。さらに、汗をかきやすい赤ちゃんの衛生面を考えると、衣類をまとってない首下が汚れやすいが、一つのマットだと洗濯することも容易ではない。【解決手段】３の穴に腕を入れることにより、赤ちゃんに気づかれることなく、赤ちゃんの首下から腕をぬくことができる。さらに、底板が４のつまみにより上下するので枕クッションが赤ちゃんにあった高さで赤ちゃんを動かすことなく固定できる。枕クッションは３の穴にはめ込んであるだけなので、汗で汚れても、すぐに丸洗いできる。【選択図】図２
2010162306.tif 000002
【特許請求の範囲】
【発明の詳細な説明】
【技術分野】
【０００１】本発明はベビーベットに関する物である。
【背景技術】
【０００２】従来のベビーベットは赤ちゃんの寝る所は平らなマットとベットであった。
【発明が解決しようとする課題】
【０００３】眠った赤ちゃんをベビーベットに移す際、一般のベビーベットだと、夜泣きで３時間に一回目を覚ます赤ちゃんを抱っこしながらやっとの思いで寝かせても腕からベットに移す際に、赤ちゃんの首もとから腕を抜く際に赤ちゃんが目を覚ましてしまったり夜泣きしてしまう可能性も出てしまう。
また、赤ちゃんを寝かせた時に後頭部が平らなマットにより形が悪くなってしまう。そして、従来のベット、マットは一つの大きな物だったため、首下部分の一番汚れやすい部分も簡単には洗濯できずにいた。
【課題を解決する為の手段】
【０００４】上記のことを解決するために、赤ちゃんをベットに寝かせた時に赤ちゃんの首がくる部分に手首から肘くらいまでの大きさの穴をマットとベットの両方に開ける。それにより、抱っこしてる状態で眠っている赤ちゃんをベットに寝かせる時に、その穴により赤ちゃんを起こすことなく腕を抜くことができる。
腕を抜いた後、その穴にベットの下からクッションをはめ込むことにより、呼吸を確保するために首元に差し込む枕の代わりや、頭の形を整える為のドウナツ枕の代わりになる。さらに、一番汗で汚れる部分が取り外しできるクッションなので簡単に洗濯できることにより、常に衛生的である。
【発明を実施するための形態】
【０００５】以下、本発明の詳細を図に示した実施例に基づき説明する。［図１］において、矢印１が抱っこされて心地よく寝ている赤ちゃんである。
矢印２が赤ちゃんを抱っこしているときに赤ちゃんの首下にきている腕である。
【０００６】［図２］のベビーベット矢印３の穴に２の腕を入れることで眠った赤ちゃんを起こすことなく、赤ちゃんの首下から腕を抜くことができる。そして、［図２］の矢印４のつまみを回転させることにより、［図３］の矢印５の底板を上下させ、矢印６の枕クッションを共に上下させる。
【０００７】矢印１の穴に矢印６のクッションをはめ込み、矢印４のつまみで上下させことにより、それぞれの赤ちゃんにあった高さで枕クッションを停止させるので、赤ちゃんは不快に感じることなく、なおかつドーナツ枕の代わりもはたすことができる。
【図面の簡単な説明】
【０００８】
【図１】心地よく寝ている赤ちゃんと抱っこしている腕である。
【図２】本発明を立体的にみた図である。
【図３】本発明を真横からみた図である。
【符号の説明】
【０００９】１                寝ている赤ちゃん
２                赤ちゃんを抱っこしている腕
３                赤ちゃんを抱っこしている腕を入れる穴
４                枕を上下させるためのつまみ
５                枕クッションを上下させる底板
６                枕クッション
【図１】
2010162306.tif 000003
【図２】
2010162306.tif 000004
【図３】
2010162306.tif 000005
【手続補正書】
【提出日】平成21年7月24日(2009.7.24)
【手続補正２】
【補正対象書類名】特許請求の範囲
【補正対象項目名】全文
【補正方法】変更
【補正の内容】
【特許請求の範囲】
【請求項１】
産まれたばかりの赤ちゃんは夜中でもミルクやおしめ交換の為に約３時間おきに目を覚ます。その赤ちゃんを毎回抱っこしたり、おんぶしたりしながらやっとのおもいで寝かしつけてもベット又は布団に移す際にまた目を覚ましてしまい、親に疲労が蓄積してしまう。そこで、少しでも寝た赤ちゃんが目を覚ましづらくするように、ベットの赤ちゃんの首元がくる位置に、赤ちゃんを抱っこした腕が入るくらいの穴を開け、その穴の部分から赤ちゃんを抱っこしている腕をそっと抜くことにより赤ちゃんが目を覚ましづらくなり、尚且つ穴の中にクッションを入れてあり、そのクッションが上下に浮き沈みすることにより、赤ちゃんに気づかれることなく、赤ちゃんの枕、ドーナツ枕の代わりになる。さらに、赤ちゃんの汗などで汚れやすいベットの首の部分がクッションになっているので取り出して丸洗いできるので清潔をたもてる。赤ちゃんと親の両方のことを想いやったベットである。
(57)【要約】【課題】  本発明は膝痛の人が階段を上り下りする時、蹴上げが約半分の高さになり膝への負担が減ると共に、ステッキの棒部のぐらつきがないステップ台付きステッキを提供する。【解決手段】  本発明のステップ台付きステッキ１は、上面４と下面６を有するステップ台２の該上面４でステッキ３を固定するため上面４に通された該ステッキ３をその上面４で加圧する加圧部材１０を取付けたことを特徴とする。また、ステッキ３を挿入する孔１５を有する板状の加圧部材１０を上面４の表裏にそれぞれステッキ３の棒部８を加圧するように取付けている。また、ステッキ３の棒部８を掴める手部１４を有した加圧部材１０を、該ステッキ３の棒部８を掴んで加圧するように上面４に取付けている。【選択図】図１
2010162304.tif 000002
【特許請求の範囲】
【請求項１】
上面と下面を有するステップ台の該上面でステッキを固定するため上面に通された該ステッキをその上面で加圧する加圧部材を取付けたことを特徴とするステップ台付きステッキ。
【請求項２】
ステッキを挿入する孔を有する板状の加圧部材を上面の表裏にそれぞれステッキの棒部を加圧するように取付けたことを特徴とする請求項１記載のステップ台付きステッキ。
【請求項３】
ステッキの棒部を掴める手部を有した加圧部材を該ステッキの棒部を掴んで加圧するように上面に取付けたことを特徴とする請求項１記載のステップ台付きステッキ。
【発明の詳細な説明】
【技術分野】
【０００１】  本発明は、膝痛の方が階段を上り下りするときに使用する階段歩行補助具に関する。
【背景技術】
【０００２】  従来は、特開平８−８９３２２のようなステップ台付き杖（ステッキ）が存在していた。
【発明の開示】
【発明が解決しようとする課題】
【０００３】  ステップ台として樹脂や木材を使用するが、ステッキの棒部がステップ台上でぐらぐらしてがたつき階段の上り下り時に利用者が不安定な状態にならぬようにしたステップ台付きステッキを提供することにある。
【課題を解決するための手段】
【０００４】  上記課題を解決するために、本発明のステップ台付きステッキは、上面と下面を有するステップ台の該上面でステッキを固定するため上面に通された該ステッキをその上面で加圧する加圧部材を取付けたことを特徴とする。また、ステッキを挿入する孔を有する板状の加圧部材を上面の表裏にそれぞれステッキの棒部を加圧するように取付けたことを特徴とする。また、ステッキの棒部を掴める手部を有した加圧部材を、該ステッキの棒部を掴んで加圧するように上面に取付けたことにより問題点を解決している。
【発明の効果】
【０００５】  本発明に係るステップ台付きステッキによれば、膝痛の人が階段を上り下りする時、蹴上げが約半分の高さになるため膝への負担が減ると共に、ステッキの棒部のぐらつきが無いため不安を覚えずに使うことができる。
【発明を実施するための最良の形態】
【０００６】  以下、本発明に係るステップ台付きステッキの好適実施の形態を図面に基づいて説明する。図１は、本発明に係るステップ台付きステッキの正面図、図２は、本発明に係るステップ台付きステッキを上から見た図、図３は、本発明に係るステップ台付きステッキの第１の実施例を示す横から見た断面図、図４は、本発明に係るステップ台付きステッキの第２の実施例を示す横から見た断面図である。ステップ台付きステッキ１は、膝痛の人が階段を上り下りする時に使用する目的の階段歩行補助具で、階段の蹴上げの高さを約半分にするステップ台２と使用者が持ち運べるように取り付けたステッキ３とで構成される。【０００７】  図１及び図２に示すようにステップ台２はステッキ３を挟み左右に人の片足が乗れる面積を有する上面４がある。また、奥行きは階段の踏み面と同程度または小さく設定してある。足を乗せる表面５は通常、滑り止めの模様が施されている。また、下面６は軽量化のために部分的に施されている。ステップ台２の上面４の孔７にはステッキ３の棒部８が嵌り、その先端部が下面６にねじ１６にて固定され、上面４ではステッキ３の棒部８を挿入する上面４の孔７と同等もしくは大きめに開けられた孔１５を有する加圧部材１０により棒部８は加圧され、該加圧部材１０はねじ９とナット１３にて上面４に固定されている。ステッキ３は棒部８と握り部１１で構成され、人が使用しやすい長さを有している。【０００８】  図３に示す第１の実施例では、ステップ台２表面５の加圧部材１０は図面向かって左側へ該ステップ台２の孔７に挿入され棒部８を加圧し、ステップ台２裏面１２の加圧部材１０は図面向かって右側へ棒部８を加圧しその状態でそれぞれねじ９とナット１３にて固定されている。【０００９】  図４に示す第２の実施例では、ステップ台表面の孔に棒部８と共に挿入された二つの加圧部材１０がそれぞれ該棒部８を両側から手部１４により加圧した状態でステップ台２にねじ９とナット１３で固定されている。このように加圧部材１０で棒部８が固定されているため人が階段でステップ台付きステッキ１を使う場合、棒部８のぐらつきに不安を覚えることなく踏み面に該ステップ台付きステッキ１を置き安心して上の段から下の段へ下り、また、下の段から上の段へ膝の痛みを気にせずに上がることができる。
【図面の簡単な説明】
【００１０】
【図１】本発明の第１実施例を示す正面図。
【図２】同実施例の上から見た図。
【図３】同実施例の横から見た図。
【図４】本発明の第２実施例を示す横から見た図。
【符号の説明】
【００１１】    １  ステップ台付きステッキ
２  ステップ台
３  ステッキ
４  上面
５  表面
６  下面
７  孔
８  棒部
９  ねじ
１０  加圧部材
１１  握り部
１２  裏面
１３  ナット
１４  手部
１５  孔
１６  ねじ
【図１】
2010162304.tif 000003
【図２】
2010162304.tif 000004
【図３】
2010162304.tif 000005
【図４】
2010162304.tif 000006
(57)【要約】【課題】    本発明は、障害者、健常者が指を動かしてフォークを回転しなくても手を回転させるだけでスパゲッティー等の麺をフォークにからめることができるフォークを提供することである。【解決手段】    本発明は、フォークの首部を、例えばクランク状に折り曲げ、クシ部と柄間を編心させたフォーク、及び柄の把手ともなる先端部が内軸として中空状カバー材内で回転可能に一体に装着したフォークであり、このフォークはフォークのクシ部をスプーン等にほぼ垂直にあて、柄を手で回転させるだけで、スパゲッティー等の麺を障害者、健常者でも容易にフォークに絡めることができる。【選択図】図１
2010162365.tif 000002
【特許請求の範囲】
【請求項１】
フォーク本体の首部を少なくとも一回以上、折り曲げて柄とクシ部を編心させたことを特徴とするフォーク。
【請求項２】
フォークの首部の折り曲げをクランク状に形成したことを特徴とする請求項１記載のフォーク。
【請求項３】
フォークの柄となる先端部分が内軸として回転可能に装着した中空状カバー材とを一体に構成したことを特徴とする請求項１又は２記載のフォーク。
【請求項４】
フォークの柄となる先端部分の少なくとも下端に中空状カバー材の下端のストッパーとなる突起を設けたことを特徴とする請求項１から３記載のいずれか１項記載のフォーク。
【発明の詳細な説明】
【技術分野】
【０００１】      本発明は、フォークの首部を１回以上折り曲げて柄の回転がクシ部に回転モーメントとして作用するように編心、例えばクランク状に形成したフォークの構成と、柄の把手となる先端部分が中空状カバー材内で回転可能に装着したフォークとに関するものである。
【技術的背景】
【０００２】      レストラン等においてスパゲッティー等を食べる場合、柄がまっすぐなフォークを指でフォークを回転させ、スパゲッティー等の麺をからめて食べるのが普通である。
【発明の開示】
【発明が解決しようとする課題】
【０００３】      しかしながら、柄がまっすぐなフォークで指を動かして回転させることは、健常者または指に障害がある人にとっても苦痛であり、時間的、及び労力からして負担となる。
【課題を解決するための手段】
【０００４】      本発明は、このような欠点を除去するため、フォークの首部を折り曲げてクシ部と柄間を編心させクシ部に柄の回転モーメントが作用する形状としたフォークと、その柄の把手として役立つ先端部分を内軸として回転可能に収納、装着した中空状カバー材とを一体に構成したフォークである。
【発明の効果】
【０００５】      上述したように、フォークのクシ部と編心した位置にある柄の回転が首部を介してクシ部に回転モーメントが作用する形状、例えばクランク状に折り曲げたフォーク、及び柄となる先端部分が内軸として回転するように装着した中空状カバー材とで柄を構成したフォークのため指に障害がある人、若しくは健常者でも指を動かさず、フォークのクシ部分に掬った麺をスプーン等に適当な力を加えながら当接し、フォークの柄の把手の部分、又は把手となる柄、又は中空状カバー材を握り、手首等を回転させるだけでフォーク本体が回転してスパゲッティー等の麺を容易に絡めて食べられるフォークを提供することができる。
【発明を実施するための最良の形態】
【０００６】      以下に、図面を用いて本発明に係るフォークの一実施例について詳細に説明する。図１は本発明に係るフォークを示す一部切り欠き平面図であり、１はフォーク本体でクシ部２と首部３と柄４とを一体に形成したフォークと、更に柄４の先端部５を内軸として回転可能に装着した中空状カバー材７とから構成したフォークとである。【０００７】      さらに詳しく説明すれば、首部３はクシ部２に柄４の回転を回転モーメントとして作用するように編心、例えばクランク状に折り曲げたものであり、先端部５の回転を首部３の回転モーメントでクシ部２に伝達する構成のフォークである。さらに中空カバー材を柄に装着したフォークは、先端部５下端と最先端に突起、またはナット、カシメ構造等のストッパー６を設け、中空状カバー材７がフォーク本体１から離脱するのを阻止するのに役立つ。【０００８】      さらに説明すると、中空状カバー材７は、例えば図２（ａ）、（ｂ）、（ｃ）に抽出拡大して示すように形成する。即ち、（ａ）図は先端部５が内軸として回転可能な円形パイプ状で把手となる中空状カバー材７であり、突起６と最先端のナット６ａで中空カバー材７を装着したものである。（ｂ）図は中空円筒状の中空状カバー材７であり、先端部５の突起，ナット６等は必要なく、中空状カバー材７の底面７ａに穿設した貫通孔８を介して螺子９を先端部５の最先端に刻設した螺子孔１０に螺合した構成である。（ｃ）図は円筒パイプ状の代わりに複数分割したカラー７ｂを遊合して把手として装着した構成である。【０００９】      次ぎに、本発明に係るフォークの使用法を簡単に説明すると、まずフォーク本体１でスパゲッティー等を掬ったクシ部２をスプーン等にほぼ垂直に当接し、柄４を手で回転させることにより、スパゲッティー等の麺を障害者、健常者でも容易にフォークに絡めることができる。【００１０】      以上説明したのは本発明に係るフォークの最良の形態であり、図３（ａ）、（ｂ）に首部３と柄４のみを抽出して概略線図で示すようにフォーク本体の首部３の折り曲げは、首部３と柄４間に回転モーメントが作用するように編心している形状であればクランク形状に限らず、（ａ）図に示すように緩やかな勾配形状、また（ｂ）図に示すように９０°より小さい角度に折り曲げても可能である。さらに、図示しないが中空状カバー材７は三角形以上の多角形、或いは楕円形等の円形を変化させて中空状の形状も可能である。
【図面の簡単な説明】
【００１１】
【図１】本発明に係るフォークの一実施例を示す一部切り欠き平面図である。
【図２】本発明に係る要部の一つである中空状カバー材の一実施例を抽出拡大して示す部分断面説明図である。
【図３】本発明に係るフォークのフォーク本体の首部と柄間の折り曲げ部のその他の実施例を示す概略線図である。
【符号の説明】１  フォーク本体
２  クシ部
３  首部
４  柄
５  先端部
７  中空状カバー材
【図１】
2010162365.tif 000003
【図２】
2010162365.tif 000004
【図３】
2010162365.tif 000005
(57)【要約】      （修正有）【課題】調理器具や食器を洗うためのスポンジであって、洗う器具の入り隅や細い溝についている汚れをかき出しやすくするスポンジを提供する。【解決手段】スポンジ１の側面（厚みにあたる部分）に複数の溝４をもうける。それにより、例えば、従来は細い溝や器具の接合部の入り隅などの汚れは、タワシかブラシを用いて落としていたが、スポンジ１の側面部の溝部４を洗浄部分にあてがい、溝に沿って引き洗いを行うことで可能にしたものである。【選択図】図３
2010162314.tif 000002
【特許請求の範囲】
【請求項１】
調理器及び食器等を洗うスポンジ体がその側面（厚みにあたる部分）に複数の溝部を有し、汚れ物をかき出すことが出来るスポンジ。
【発明の詳細な説明】
【技術分野】
【０００１】本発明は調理器や食器を洗うためのスポンジであって、洗う器具の入り隅や細かい溝の汚れをかき出し易くするスポンジに関するものである。
【背景技術】
【０００２】従来、食器洗いなどのスポンジは色々な汚れの種類に対応するためにスポンジの素材に工夫がなされていますがスポンジ体の側面（厚み部分）は汚れ落とし面として使われていない。
【発明の開示】
【発明が解決しようとする課題】
【０００３】  調理器具及び食器をスポンジで洗うとき次のような問題点があった。フォークなどを洗うとき歯の間にスポンジが入りにくく洗い残しが生じがちであった。又器具の接合部は細かく入り隅になっておりタワシか、ブラシなどを使ってかき出し洗っていました。
本発明は以上の問題点をスポンジだけで解決できるようになされた物である。
【課題を解決するための手段】
【０００４】上記の目的を達成するため、スポンジ体の底面にあたる気泡スポンジ部分の側面に複数の溝を設ける。スポンジ体の上面は不織布その下に気泡ウレタンフォームを貼り付ける。本発明は以上の構成よりなり細溝、入り隅が洗えるスポンジである。
【発明の効果】
【０００５】本発明を使用してフォークの歯及び調理器具の接合部の入り隅部分を洗うとき、スポンジの側面をあてがいスポンジの溝に沿って引き洗いするとフォークの歯の間にスポンジの溝が入り込み汚れをかき出すことができる。又調理器具においても細い溝が器具の入り隅に当たり汚れをかき出すことができる。
【発明の実施すための最良の形態】
【０００６】以下、本発明の実施の形態を説明する。
（イ）不織布（１）と気泡ウレタンフォーム（２）気泡スポンジ（３）を設ける。
（ロ）気泡スポンジ（３）に複数の溝（４）を設ける。
本発明は以上の構成よりなる。
本発明を使用する場合は洗いたい部分に、スポンジの側面部の溝部をあてがい溝に沿って引き洗いをする。
【図面の簡単な説明】
【０００７】
【図１】本発明の平面図
【図２】本発明の側面図
【図３】本発明の斜視図
【符号の説明】
【０００８】          １  不織布
２  気泡ウレタンフォーム
３  気泡スポンジ
４  溝
【図１】
2010162314.tif 000003
【図２】
2010162314.tif 000004
【図３】
2010162314.tif 000005
(57)【要約】【課題】  従来の２段ベットは２名が就寝するだけで下部の掃除が非常に困難である。当発明はベット本体を上部にスライドさせる事により、同じスペースで２名分の勉強机、簡易応接セット、ベットスペースと収納棚など多彩な生活空間が楽しめる。掃除も簡単に行うことが出来る。【解決手段】ベット本体の中央部にウインチドラムを設け小型減速モータにより回転させる。ドラムより出たワイヤー４本は滑車を介しベット本体各角のスライド金物の滑車へ導入され本体柱の最上部に金具で取り付ける。テーブル本体の中央部にウインチドラムを設け減速小型モータにより回転させる。テーブルはドラムより出たワイヤー２本は滑車を介しベット本体２本の柱のスライド金物の滑車へ導入され本体柱の最上部の金具に取り付ける。【選択図】図１
2010162311.tif 000002
【特許請求の範囲】
【請求項１】
複数の柱と梁から成る組み立て可能な構造物にベット本体から成る。
ベット本体は４方向構造物で強固に形成しの角にスライド金物を配置する。
【請求項２】
ベット本体を上下させる様にするために柱と接する部分にスライド金物を取り付ける。上下させる為に柱先端に導索引（ワイヤー、チエン、ベルト、ロープなど）を取り付けスライド金物に導入し金物に取り付けた滑車により方向を変えベット本体の中央部に導かれる。
【請求項３】
ベット本体の中央部に滑車、小型減速モーターに巻き取りドラムを組み込んだものをフレームに取り付け巻き取りユニットにする。
【請求項４】
各柱より出た導索引を滑車を介し巻き取りユニットに導入しドラムを回転させる事により平衡に上下するものである
【請求項５】
テーブルを上下にスライドさせる様にする為テーブルの柱に接する部分にスライド金物を取り付け滑車により方向を変えテーブル本体の中央部に導かれる。
テーブル本体の中央部に滑車、小型減速モーターに巻き取りドラムを組み込んだものをフレームに取り付け巻き取りユニットにする。
各柱より出た導索引を滑車を介し巻き取りユニット導入しドラムを回転させる事により平衡に上下するものである
請求項１から請求項４と同じ構造である。
【発明の詳細な説明】
【技術分野】
【０００１】本発明は２段ベットのベット本体を柱に沿って上下移動する事により新しい空間が出来、同じスペースで就寝、勉強、応接、など多彩な生活空間が出来る事を目的とした。
【背景技術】
【０００２】従来では、上部にベットを設置し下部に勉強机などを置く様になったものやベット自身を折りたたむ物が多い。
【発明が解決しようとする課題】
【０００３】現在の住宅事情は非常に狭く特に家族の多い家庭では家財道具が多くベットを置くと勉強机が置けないなど何かを犠牲にしているのが現状である。
【課題を解決するためのの手段】
【０００４】従来の２段ベットの本体部分を上下移動するために組み立て金物、スライドユニット、巻き上げユニットを組み込む事により上下移動することが出来る様にする事である。
【発明の効果】
【０００５】ベット本体部を上部にスライドさせる事により新しい空間を確保出来る様にした。同じスペースで２名分の勉強机、簡易応接セット、ベットスペースと収納棚など多彩な生活空間が楽しめる様にした。
テーブルを上下にスライドさせる事により椅子、テーブルや簡易応接椅子になる。本発明は普段、２段ベットに使用したり、ベット本体部を上部にスライドさせる事により、新しいスペースが出来、テーブルを上下にスライドさせる事により、勉強机と使用したり又簡易応接椅子として、使用する事が出来るようにした。
２段ベットの上部を使用しない時は収納棚に使用したりする事が出来上下スライドする為、収納物の整理整頓がしやすく又、掃除も簡単である。
【産業上の利用可能性】
【０００６】宿直室、学生寮、単身者用従業員寮、仮眠室、など、又  パネル板トラックなどに積み込む事により宿泊が可能になり、山間部などの現場事務所兼宿泊施設として使用出来る。
【図面の簡単な説明】
【０００７】
【図１】２段ベットとして使用している場合の図である。
【００８】
【図２】簡易応接セットで使用する時の図である。又背もたれ、クッションなどは、上部ベットのスノコ、マットレスなどを使用する様にする
【００９】
【図３】休息用椅子、勉強机として使用する時の図である。休息用椅子を上部にスライドすることで２人同時に背中合わせで勉強することが出来る。
【００１０】
【図４】部品配置図［平面図］スライド金物の位置、上部ベットに４カ所、下部ベットに４カ所の合計８カ所を各ベットの角に取り付ける。巻き上げに使用する小型減速モーター及び巻き上げドラム、滑車はフレームに組み付けて一つのユニットにした。［側面図］本体柱と梁の組み立て金具である。金具の先端部に上部ベット用、下部ベット用、テーブル用の３組のワイヤー金具取り付け金具を組み込んだユニットである。又巻き上げユニットの位置、スライド金物の位置、テーブルの巻き上げユニットの位置、スノコの位置である。
【００１１】
【図５】［平面図］上下スライド金物平面図  スライド金物はプレート、ガイドローラー、スライド板、滑車、組み立てボルトなど、から成る。▲１▼（本体柱）▲２▼（ベット本体）の接合部はスライド金物で組み立てられている、巻き上げ用ワイヤーの通る経路でもある。［側面図］上下スライド金物側面図  ▲１▼（本体柱）▲２▼（ベット本体）の接合部スライド金物で組み立てられている、巻き上げ用ワイヤーの通る経路でもある。
【００１２】
【図６】［平面図］▲１▼（本体柱  梁）本体柱と梁の接合部で組み立てプレート、張りプレート、ワイヤー取り付けボルトなどで１つのユニットに成っている。巻き上げ用ワイヤーの先端を取り付ける。［側面図］本体柱と梁の組み立て金具である。金具の先端部に上部ベット用、下部ベット用、テーブル用の３組のワイヤー取り付け一つのユニットである。
【００１３】
【図７】［平面図］２本のフレームに小型減速モーター、滑車  巻き上げドラム、軸受など組み付け１つのユニットにした。ベット本体と上下スライド金物（下図）、ワイヤー巻取り装置の平面図でワイヤーの通か経路である。［側面図］ベット本体とスノコ、ワイヤー巻取り装置の側面図である。
【００１４】
【図８】１［平面図］テーブル明細図  ２本のフレームに小型減速モーター、滑車  巻き上げドラム、軸受など組み付け１つのユニットにした。テーブル用ドラムはワイヤーが２本である為１重にした。２［側面図］モーターユニットとスライド金物の位置関係を表している。
【符号の説明】        １構造物本体
２ベット本体
３テーブル本体
４市販テーブル
５本体柱
６プレート
７ガイドローラ
８ガイドローラ（ワイヤー通過用切欠有り）
９スライド板
１０滑車
１１巻取ドラム
１２ワイヤー
１３フレーム
１４組み立てプレート
１５ワイヤー留め金具
【図１】
2010162311.tif 000003
【図２】
2010162311.tif 000004
【図３】
2010162311.tif 000005
【図４】
2010162311.tif 000006
【図５】
2010162311.tif 000007
【図６】
2010162311.tif 000008
【図７】
2010162311.tif 000009
【図８】
2010162311.tif 000010
(57)【要約】【課題】便座に固定され、長期間使用できる紙便座カバーを、トイレットペーパーなどのロール紙を使用して、家庭などで簡易に作ることが出来る器具を提供する。【解決手段】外周が便座と同様の形状を設けた器具外周に、トイレットペーパーなどのロール紙を複数枚巻き取り、液体を通過する網目状のカバーを被せ、形成を行い、水などの液体を吹きかけ吸着、乾燥出来る器具を製造する。【選択図】図１
2010162313.tif 000002
【特許請求の範囲】
【請求項１】
外周が便座と同様の形状を設けた器具外周に、トイレットペーパーなどのロール紙を複数枚巻き取り、液体を通過する網目などのカバーを被せ、便座カバーに形成し、水などの液体を吹きかけ吸着、乾燥を行うことで、便座カバーの形状に固形化した物を作る紙便座カバー製造具。
【発明の詳細な説明】
【技術分野】
【０００１】本発明は、トイレットペーパーなどのロール紙を、器具で形成及び加工を行い、紙便座カバーを製造する事に関する。
【背景技術】
【０００２】従来、紙便座カバーは、１枚の紙を便座上に乗せるものである。
又、トイレットペーパーなどのロール紙を使用する家庭用製造具は商品化されていない。
【発明の開示】
【発明が解決しようとする課題】
【０００３】しかし、１枚の紙を便座上に置くものでは、固定されていない為、使いにくく長期間使用できないので、トイレットペーパーなどのロール紙を使用して、家庭などで簡易に便座カバーを作ることが出来る器具を提供し、その不便を解決する
【課題を解決するための手段】
【０００４】この課題を解決するため、外周が便座と同様の形状を設けた器具外周にトイレットペーパーなどのロール紙を複数枚巻き取り、液体を通過する網目のカバーを被せ、便座カバーに形成する。
その後、水などの液体を内部のトイレットペーパーなどのロール紙に吹きかけ、吸着させることで、紙の繊維を溶解する。
その状態で、乾燥させ、融着及び接合により固形化する。
上記の紙便座カバーを作るため、外周が便座と同様の形状を設けた器具と液体を通過する網目のカバーを製造する。
【発明の効果】
【０００５】ロール紙を複数枚巻き取り、重ね合わせることで、破れにくくなる。
複数枚の紙に、水などの液体を吸着させ、繊維を溶解、乾燥させる事で融着、接合により固形化され、便座カバーの形状を維持され易いものになる。
簡易な器具で、トイレットペーパーなどのロール紙を使用して、各家庭で簡単に作ることが出来る。
【発明を実施するための最良の形態】
【０００６】図１は、外周が便座１と同様の形状を設けた器具外周にトイレットペーパー２を複数枚巻き取り、便座後方の枢支部４両端部分下部より半分程度、切れ目を入れ、水などの液体を通過する網目便座カバー３を、巻き取られたトイレットペーパー２に被せ、便座カバーに形成する。【０００７】図２は、便座カバーに形成されたトイレットペーパー２に霧吹き器５などで、水などの液体を吹きかける。
水などの液体を吸着したトイレットペーパー２は、紙の繊維が溶け、乾燥すれば融着及び接合され、固形化により形成された紙便座カバー６の形状に維持され易いものになる。
【産業上の利用可能性】
【０００８】本発明に係わる紙便座カバー製造具は、工業的に量産する事が可能であるため、産業上の利用可能性を有する。
【図面の簡単な説明】
【０００９】
【図１】紙便座カバーの組み合わせを現した斜視図
【図２】紙便座カバーに形成されたトイレットペーパーを、その状態に維持させる方法を示した斜視図
【符号の説明】
【００１０】１    便座
２    トイレットペーパー
３    網目便座カバー
４    枢支部
５    霧吹き器
６    紙便座カバー
【図１】
2010162313.tif 000003
【図２】
2010162313.tif 000004
(57)【要約】【課題】  従来の車につける注連縄は取り付けと取り外しに手間がかかり、それによって車体を傷つけることがある。また材料が藁の場合、そのクズがボンネットの中を汚したり、エンジントラブルになることもある。さらに、取り付け場所を選ぶため、取り付けること自体が出来ない、或いは取り付けた場所が適切でないために違反につながる可能性がある、といった様々な欠点があった。それらを解決するための注連縄を提供する。【解決手段】  表面に注連縄の図柄や文字を表記、裏面にマグネットシートを使用して構成する。このマグネットシート式注連縄により、取り付け取り外しを簡単し、藁クズなどによるトラブルも防ぐことができる。【選択図】図１
2010162312.tif 000002
【特許請求の範囲】
【請求項１】
表面に注連縄の図柄を表記、裏面にマグネットシートを使用した、マグネットシート式注連縄。
【発明の詳細な説明】
【技術分野】
【０００１】  この発明は、表面に注連縄の図柄を表記、裏面にマグネットシートを使用したマグネットシート式注連縄に関するものである。
【背景技術】
【０００２】  従来の車につける注連縄は、本物の藁などを使って作られているものを、車のボンネットなどに紐や針金を使って取り付けていた。
【発明の概要】
【発明が解決しようとする課題】
【０００３】  従来の車につける注連縄は、紐や針金を使って取り付けるため手間がかかり、それによって車体を傷つけることもある。また、本物の藁などを使って作られているために、わらクズが風でボンネットの中に入ってエンジントラブルの原因になったり、ボンネットの中が汚れるなどの欠点を持っている。また、取り付ける場所がない、或いは取り付けができたとしても、その場所が適当でない場合は注連縄がナンバープレートを隠してしまうなどの違反を引き起こす原因になる可能性もある。さらに、従来の注連縄ではデザイン的な制限も大きく、交通安全祈願のためにつけたいと思いながらも、車に似合わないなどの理由で敬遠されることもある。
本発明は、以上のような欠点をなくすためになされたものである。
【課題を解決するための手段】
【０００４】  表面に注連縄の図柄や文字を表記、裏面にマグネットシートを使用したものとなる。
本発明は、以上のような性質によりなるマグネットシート式注連縄に関するものである。
【発明の効果】
【０００５】  これには次のような効果がある。
効果１：注連縄の取り付けと取り外しが簡単で、車体を傷つけにくい。
効果２：注連縄のわらクズなどによるトラブルが解消する。
効果３：運転の支障にならない場所に自由に注連縄を取り付けられる。
効果４：車に似合うデザインの注連縄を製作することが容易になる。
効果５：「交通安全」など文字を表記することが容易で、啓発につながる。
効果６：走行中に注連縄が風圧でひっくり返るようなことがなく、形状が安定する。
【発明を実施するための最良の形態】
【０００６】  表面の材質、大きさは問わない。
表面に注連縄の図柄や文字を表記する。
裏面にはマグネットシートを使用する。
形状は表面の注連縄の図柄にあわせて裁断する。又は、地色を車の車体の色（白、黒、シルバーなど）に近い色に合わせることで、車に取り付けた際に余白を目立たなくすることができる。
【図面の簡単な説明】
【０００７】
【図１】本発明の正面図である。
【図２】本発明の断面図である。
【符号の説明】
【０００８】  １  本発明品
２  表面（注連縄の図柄例）
３  裏面（マグネットシート）
【図１】
2010162312.tif 000003
【図２】
2010162312.tif 000004
(57)【要約】      （修正有）【課題】多人数の集まる場所では、テーブルを離れてから元に戻った時、自分のコップがどれであったかが判らぬことが、よく起きる。【解決手段】識別用の記名スペースのあるカードを作り、これをコップ受け１に設けたカードの差込口２に着脱自由とさせた。【選択図】図１
2010162319.tif 000002
【特許請求の範囲】
【請求項１】
識別用のカード４及び差入口２を設けてカード４の着脱を自在とするコップ受け１の組合せ。
【発明の詳細な説明】
【技術分野】
【０００１】  この発明は、コップ使用者の識別と第三者による広報、広告を同時一体的に行う、カードとコップ受けの組合せに関するものである。
【背景技術】
【０００２】  多人数の集まる場所では、テーブルを離れてから元に戻った時、自分のコップがどれであったか、が判らぬことがよく起きる。
【発明の開示】
【発明の解決しようとする課題】
【０００３】  これは、自分のためだけでなく、他人のためにも良くないことであり、衛生上も問題がある。本発明は、コップ使用者の識別困難により生じる諸問題を解決する。
【問題を解決するための手段】
【０００４】  カードとコップ受けの組合せにより、問題が解決された。先ずカードであるが、紙・合成紙・樹脂・金属など軽くて柔軟性のあるものを、所定の形状、寸法に作る。印刷し易いものが良い。表裏の両面があるからこの両面を活用する。
カードの任意の適当な箇所に、名前の記名スペースを確保する。記名スペースは通常は白紙状態であり、名前以外のものでも他人との識別が可能であれば何でもよい。カードの記名スペース以外の場所は、広報・広告など種々の情報を印刷加工するなど、各種の情報媒体として利用できる。
次に、コップ受けである。素材に、紙・合成紙・樹脂・金属等で成形し易いものを用いる。形状を、底のある円形又は多角形の筒状体として作る。側面部には切込みを設け、前記のカードの差込口とする。差込口は複数箇設ける。
差込口の一部分がコップ受けの上方の周縁に接する場合もあるが、この時上方の周縁の一部分が欠ける形となるので、カードの差込みは出来ない。これを解決するため、カードに、市販の荷札のように、紐又は針金などを留める。この時、紐や針金などは寸法を長く取り、紐又は針金付きカードをコップ受けの外側に吊り下げた場合に、紐や針金の残りの部分がコップ受けの中央部に達していることが必要である。紐や針金の一方の端がコップ受けの中央にあれば、コップがこの上に乗って重しの役割を果たし、カードの滑落を防ぐことが出来る。
差込口の設置箇所は、コップ受けの素材、従って成形方法の如何と形状により、総合的なコスト計算の下に決定される。
更に、移動に備えて、側面部には指を出し入れする指穴を開けることも出来るが、コップ受けの形状により設けなくてもよい場合がある。
これまで述べてきたのは、カードとコップ受けの構造面であるが、使用方法を明らかにしなければならない。使用方法とは、カードの使用方法ということになる。ビールなどが注がれたコップは、当然コップ受けに入れられるのであるが、この時カードは、記名スペースのある面が裏側となるように差込まれる。コップ使用者が最初に目にするのは、カードの広報・広告のある面である。
使用者が名前を書き込む時になって始めてカードが裏返しにされて、記名スペースに名前が記入される。宜伝面が最初で、名入れのされる面は後廻しの順である。何れにせよ、名前が明記されるので、誰のコップであるかがよく判り、自分が迷うことはなく、他人に迷惑を掛けず、衛生上の問題も解消できる。
【発明の効果】
【０００５】  以上の如く、抜き差し自由のカードにより、使用中のコップが誰のものであるか、その名前が判るということは、以下の効果をもたらした。
（イ）パーティなどで席を外し、戻って来た時に自分のコップがすぐ見分けられる。
（ロ）従って、自他のコップの取り違えがなく、他人に不快を与えない。
（ハ）取違えがなければ、衛生的に極めて安心である。
（ニ）一々尋ねずとも、テーブルに誰と誰が居るのか、状態が良く判る。
（ホ）コップとコップ受けを持って廻る時、名乗り合う前に名前が判っているので予備知識となり、スムースに会談に入って行ける。
（ヘ）前項で、他人のテーブルにコップを置くような場合にも、迷う心配がない。これらの他、指穴を設けた効果も挙げることが出来る。
（ト）指穴に２本の指が入れられても、指は曲げられているのでコップとの接角部分は少なく、飲み物が指のぬくもりで生ぬるくなることが避けられる。よって味が落ちない。更に、
（チ）カードの記名のための空白部を除き、表裏二面のすべてを、広報や広告宜伝などの印刷に利用できるので、スポンサーの獲得が期待できる。実現すれば、コップ全体のコスト安につながる。
（リ）コップだけでなく、ビンやペットボトルなどにも応用できる。
【発明を実施するための最良の形態】
【０００６】  カード及びコップ受けは、軽くて成形、印刷、運搬、保管に便利な紙製とする。以下、実施例により説明する。
図１は角形の、図２は丸形の、それぞれ筒状体である底付きのコップ受け１の斜視図である。図３はカード４の拡大斜視図である。コップ受け１には、側面部にカード４を着脱する差込口２を複数箇設ける。持ち運び用に指穴３を開けるが、なくてもよい。紙製であるので、全体の形を型抜きする際、所定の位置に差込口２や指穴３も同時に作ることが出来る。カード４は、片面に名前が判り易く書き込めるように、白紙部分を記名スペース５として確保する。残る片面は勿論、記名スペース５以外はすべて印刷加工し供することが出来る。印刷加工は、広報、宜伝等の希望者によって行われる。カード４の寸法、形状は差込口２に合わせることは勿論である。
既述のように、コップ受け１とカード４は一式として使用される。カード４は表裏二面があるので、少なくとも片面は広報、広告のみに利用が可能であり、点数券、割引券などの優待機能を付与することにより、持続的な広告効果が得られる。従ってスポンサー獲得が大いに有望であり、全体としてコスト安が見込める。
【図面の簡単な説明】
【０００７】
【図１】本発明の筒状体が角形である場合の斜視図
【図２】本発明の筒状体が丸形である場合の斜視図
【図３】本発明のカードの拡大斜視図  図示した長方形の枠は、文字や模様など他の印刷が施される場合に備えた、区分を明暸にするための、あらかじめ囲った枠である。
【図１】
2010162319.tif 000003
【図２】
2010162319.tif 000004
【図３】
2010162319.tif 000005
(57)【要約】【課題】ハンガーで洗濯物や衣服を室内に干したり、吊りさげたりする為に建具（ふすま、障子、板戸、ガラス戸）に脱着可能なハンガー掛けを提供する。【解決手段】建具（ふすま、障子、板戸、ガラス戸）の縦枠にクランプ（１−ａ）（１−ｂ）を取り付けて、ストッパー（３−ａ）（３−ｂ）とアーム（２−ａ）（２−ｂ）にポール（４）を設けたことを特徴とする。【選択図】図１
2010162320.tif 000002
【特許請求の範囲】
【請求項１】
建具（ふすま、障子、板戸、ガラス戸）の縦枠（５−ａ）（５−ｂ）に、クランプ本体（１−ａ）（１−ｂ）を取り付けて、アーム（２−ａ）（２−ｂ）に、ストッパー（３−ａ）（３−ｂ）を設け、アーム（２−ａ）（２−ｂ）にポール（４）を設けた部屋干しハンガー掛け
【請求項２】
ハンガー掛けを不使用の時は、クランプ（１−ａ）（１−ｂ）のアーム（２−ａ）（２−ｂ）のストッパー（３−ａ）（３−ｂ）を外して、アーム（２−ａ）（２−ｂ）を折って収納できる部屋干しハンガー掛け
【発明の詳細な説明】
【技術分野】
【０００１】    この発明は、洗濯物や衣服を部屋に干すハンガー掛けに、関するものである。
【背景技術】
【０００２】    従来のハンガー掛けは、ハンガーラック台やドア枠、ふすま枠カーテンレールなどに掛けた。
【発明の開示】
【発明が解決しようとする課題】
【０００３】    これは、次のような欠点があった。
（イ）ハンガーラック台などにハンガーを掛けると掃除の邪魔になり収納に困る。
（ロ）ドア枠、ふすま枠にハンガーを掛けると、人の出入に邪魔になる。
（ハ）カーテンレールやタンスの縁にハンガーを掛けると部屋の雰囲気を損う。本発明は、これらの欠点を除く為になされたものである。
【課題を解決するための手段】
【０００４】クランプ本体（１−ａ）（１−ｂ）にストッパー（３−ａ）（３−ｂ）とアーム（２−ａ）（２−ｂ）にポール（４）を設ける。本発明は、以上のような構成よりなる部屋干しハンガー掛け
【発明の効果】
【０００５】ハンガー掛けを不使用の時は、アーム（２−ａ）（２−ｂ）を折って収納するので、掃除の邪魔にならなくなり建具（ふすま、障子、板戸、ガラス戸）の縦枠（５−ａ）（５−ｂ）にクランプ本体の（１−ａ）（１−ｂ）を取り付けるので人の出入の邪魔にならなくなり部屋干ししても部屋の雰囲気を損なわない。洗濯物以外でも使用できる。
【発明を実施するための最良の形態】
【０００６】      以下、本発明を実施する為の最良の形態について説明する。
クランプ本体（１−ａ）（１−ｂ）にストッパー（３−ａ）（３−ｂ）とアーム（２−ａ）（２−ｂ）にポール（４）を設ける。
本発明は以上のような構造でこれを使用する時は、クランプ本体（１−ａ）（１−ｂ）を建具（ふすま、障子、板戸、ガラス戸）（５−ａ）（５−ｂ）の縦枠に取り付け、アーム（２−ａ）（２−ｂ）のストッパー（３−ａ）（３−ｂ）を掛けて、アーム（２−ａ）（２−ｂ）の部分に、ポール（４）を設けてハンガーを吊りさげる、ストッパー（３−ａ）（３−ｂ）を外して、アーム（２−ａ）（２−ｂ）を折って収納する。又ストッパーの代りに（鎖、針金、ひも）でアームを吊りさげても良い。
【図面の簡単な説明】
【０００７】
【図１】本発明の斜視図である。
【図２】収納した斜視図である。
【図３】左側、クランプを分解した斜視図である。
【図４】右側、クランプを分解した斜視図である。
【図５】斜視図である。
【符号の説明】
【０００８】１−ａ，１−ｂ        クランプ
２−ａ，２−ｂ        アーム
３−ａ，３−ｂ        ストッパー
４                    ポール
５−ａ，５−ｂ        縦枠
【図１】
2010162320.tif 000003
【図２】
2010162320.tif 000004
【図３】
2010162320.tif 000005
【図４】
2010162320.tif 000006
【図５】
2010162320.tif 000007
(57)【要約】【課題】    紙飛行機を発射装置につけて飛ばすことで、より高く長い間飛行でき、空中で発射装置と紙飛行機が離れ、それぞれの飛行を楽しむことを提供する。【解決手段】棒の胴体１と羽２を持った竹とんぼのような形状をした発射装置に紙飛行機６を取り付け、ゴム等７の推進装置で飛ばし、空中で紙飛行機と発射装置が離れ発射装置は羽２が遠心力で開き回りながら飛行する発射装置付紙飛行機を特徴とする。【選択図】  図１
2010162095.tif 000002
【特許請求の範囲】
【請求項１】
棒の胴体と羽を持った竹とんぼのような形状をした発射装置に紙飛行機を取り付け、ゴム等の推進装置で飛ばし、空中で紙飛行機と発射装置が離れ発射装置は羽が遠心力で開き回りながら飛行する発射装置付紙飛行機。
【請求項２】
棒状の胴体の一端に剛性のある薄い素材で形成した羽の一端を固定し、羽の他端はフリーであり、胴体の一部に鉤状の留金を先端鉤部が羽の間に入り込み回るように回転可能に取り付けられ、胴体の他端にはゴムの引掛け用突起が設けられた紙飛行機の発射装置。
【発明の詳細な説明】
【技術分野】
【０００１】
この発明は、紙により形成された紙飛行機に関する。更に詳しくは、飛ばすことにより空中で紙飛行機と発射装置が離れ発射装置は遠心力で羽が開き回りながら飛行する発射装置を付けた紙飛行機に関するものである。
【背景技術】
【０００２】
従来、紙飛行機は手で飛ばすものであった。そして、改良が施されゴム等で飛ばすものもあったが、飛行機自体にゴム等を引掛け飛ばすものであった。（例えば、特許文献１参照）
【発明の概要】
【発明が解決しようとする課題】
【０００３】
これは次のような欠点があった。
飛翔距離、滞空時間に限界がある。
紙飛行機自体の折り方を工夫しなくてはいけない。
本発明は、以上のような欠点をなくすためになされたものである。
【課題を解決するための手段】
【０００４】
棒の胴体と羽を持った竹とんぼのような形状をした発射装置に紙飛行機を取り付け、ゴム等の推進装置で飛ばし、空中で紙飛行機と発射装置が離れ発射装置は羽が遠心力で開き回りながら飛行する。
本発明は以上の構成よりなる発射装置付紙飛行機である。
【発明の効果】
【０００５】
紙飛行機を発射装置に付けて飛ばすことで、より高い所で飛ばすことができ上昇気流にのせることで長い間飛行でき、空中で発射装置と紙飛行機が離れ各々の飛行を楽しむことができる。
【図面の簡単な説明】
【０００６】
【図１】発射装置付紙飛行機が実施方法を示した説明図である。
【図２】胴体と羽部分、紙飛行機セット時の拡大図である。
【発明を実施するための最良の形態】
【０００７】
棒１を胴体とし、前方下部にゴム引掛け用突起７を設け後方に２枚の羽２の先端が入るように切れ込み１ａをいれ、羽と羽の間に留金５を設け、羽２をテグス等４でくくり付ける。
羽２はＰＰバンドのような剛性のあるが薄い素材により作られている。
留金５は釣針のような鉤状の形状をしていて、根本の部分がピン９によって回転可能に取付けられ、棒１を垂直に立てたとき自分の重さで下方に回るようになっている。そのため、発射後に棒１が落下するとき垂直姿勢になったとき、留金５はピン９の回りに下側して、先端の鉤の部分が紙飛行機から外れて、紙飛行機は棒１から離れて飛行することができる。
飛行機を紙等で折る。紙飛行機６は紙から折りたたむことにより作られる最も普通のもので、紙飛行機の持ち手６ａ部分から先端がすぼまった翼が広がるように作られている。
本発明は以上のような構造である。
胴体と羽をくくりつける他の仕方として接着剤又はひも状のもので付けた発射装置。
【実施例１】
【０００８】
これを使用するときは、２枚の羽２で紙飛行機の持ち手６a部分を挟み、留金５を先端の鉤部分が紙飛行機６の先端における折り目の内側の他に部分の底に当たるまで回す。そして、両側の羽の後端の向い合った部分にノリ等の接着剤８をすぐ取れるようにつけ、これにより紙飛行機６の発射装置へのセットが完了する。ゴム引掛け用突起３に輪ゴム７を引掛け、輪ゴムを弓、発射装置を矢のようにして空に向けて飛ばす。空中で羽につけたノリ等の接着剤８と留金５も外れ紙飛行機と発射装置が分かれて、それぞれ飛行する。
【符号の説明】
【０００９】
１    胴体
１ａ  胴体と羽を繋ぐ為の切れ込み
２    羽
３    ゴム引掛け用突起
４    胴体と羽を接合させるためのテグス
５    紙飛行機が上昇中に発射装置から落ちないための留金
６    紙飛行機
６ａ  紙飛行機の持ち手部分
７    輪ゴム
８    紙飛行機が上昇中に発射装置から落ちないためのノリ
９    留金を胴体部分に付けるためのおさえ
【先行技術文献】
【特許文献】
【００１０】
【特許文献１】特開２００８−１２６０１２号公報
【図１】
2010162095.tif 000003
【図２】
2010162095.tif 000004